(57)【要約】【課題】  輝度の減少を防止し、像不鮮明を除去できるディスプレイ装置の制御方法を提供する。【解決手段】  本発明によるディスプレイ装置の制御方法は、前記複数のフレーム映像で、各々の相互隣接したフレーム映像間に像不鮮明発生領域と像不鮮明非発生領域を検出する段階と；前記像不鮮明発生領域に前記隣接したフレーム映像の画素値より低い画素値を有する映像を挿入し、前記像不鮮明非発生領域に前記隣接したフレーム映像の画素値を有する映像と、前記隣接したフレーム映像の間の平均画素値を有する映像の中の、いずれか一つを挿入して、前記各々の相互隣接したフレーム映像の間ごとに、中間フレーム映像を備える段階を含む。【選択図】      図３
2006072359.tif 000002
【特許請求の範囲】
【請求項１】
複数のフレーム映像を順次表示するディスプレイ装置の制御方法において、
前記複数のフレーム映像で、各々の相互隣接したフレーム映像の間で像不鮮明発生領域と像不鮮明非発生領域を検出する段階と；
前記像不鮮明発生領域に前記隣接したフレーム映像の画素値より低い画素値を有する映像を挿入し、前記像不鮮明非発生領域に前記隣接したフレーム映像各々の画素値を有する映像と、前記隣接したフレーム映像の間の平均画素値を有する映像の中の、いずれか一つを挿入して、前記各々の相互隣接したフレーム映像の間ごとに中間フレーム映像を備える段階とを含むことを特徴とするディスプレイ装置の制御方法。
【請求項２】
前記像不鮮明発生領域と前記像不鮮明非発生領域を検出する段階は、前記隣接したフレーム映像間の動きの有無により、前記像不鮮明発生領域と前記像不鮮明非発生領域を検出する段階とを含むことを特徴とする請求項１に記載のディスプレイ装置の制御方法。
【請求項３】
前記動きの有無により、前記像不鮮明発生領域と前記像不鮮明非発生領域を検出する段階は、
前記隣接したフレーム映像の間の画素値の差を算出する段階と；
所定領域内の前記画素値の差を累積する段階と；
前記累積した画素値の差が所定の臨界値を超える場合は前記像不鮮明発生領域として、前記所定の臨界値以下の場合は前記像不鮮明非発生領域として区分する段階とを含むことを特徴とする請求項２に記載のディスプレイ装置の制御方法。
【請求項４】
前記臨界値は、ノイズの量と前記映像のグラディエント（勾配）により、各々異なる値を有することを特徴とする請求項３に記載のディスプレイ装置の制御方法。
【請求項５】
前記臨界値は、前記ノイズが多いかつ前記映像のグラディエントが大きいほど大きくなって、前記ノイズが少ないかつ前記映像のグラディエントが小さいほど小さくなることを特徴とする請求項４に記載のディスプレイ装置の制御方法。
【請求項６】
前記中間フレーム映像を形成する段階において、前記像不鮮明発生領域に前記隣接したフレーム映像の画素値より低い画素値を有する映像の挿入時に、黒色映像を挿入する段階を含むことを特徴とする請求項１に記載のディスプレイ装置の制御方法。
【請求項７】
前記黒色映像を挿入する段階は、ブラックマスク化する段階を含むことを特徴とする請求項６に記載のディスプレイ装置の制御方法。
【発明の詳細な説明】
【技術分野】
【０００１】
本発明は、ディスプレイ装置の制御方法に関し、より詳細には、輝度の低下を防止し、像不鮮明を除去できるディスプレイ装置の制御方法に関する。
【背景技術】
【０００２】
一般にディスプレイ装置は、表示方法の差によりインパルス型とホールド型に区分される。
【０００３】
インパルス型は、瞬間的に表示に必要な明るさ分だけの光を画素に表示する方法である。例えば、インパルス型のディスプレイ装置として、ＣＲＴ（陰極線管）装置が知られている。
【０００４】
一方、ホールド型のディスプレイ装置は、図１に示されたように、一定時間の間に表示に必要な明るさ分だけの光を画素ごとに表示する方法である。例えば、ホールド型のディスプレイ装置として、ＬＣＤ（液晶表示）装置が知られている。
【０００５】
一般的にインパルス型とホールド型は、表示方法の違いによって動画像の表示性能に差が生じる。
【０００６】
ホールド型のディスプレイ装置の場合、動画像が画面上で時間の経過により動くと、人の目には、映像がインパルス型のディスプレイ装置の場合より、もっとくもっているように見える。
【０００７】
このように、ホールド型のディスプレイ装置がインパルス型のディスプレイ装置よりくもっているように見える理由は、インパルス型のディスプレイ装置では、瞬間的に光を発しているため、積分によって脳にイメージ残像が少なくなることに対して、ホールド型ディスプレイ装置では、一定時間の間に光がずっと発するため、積分によって脳にイメージ残像が大きくなり易いためである。
【０００８】
ホールド型ディスプレイ装置の動画像の表示性能を改善するため、ＣＲＴディスプレイ方式と類似するように、インパルス型駆動方式が提示されている。
【０００９】
ホールド型ディスプレイ装置において、インパルス型駆動方式を実現するため、図２のように、連続的なフレームイメージの間に黒色フレームイメージを挿入する。
【００１０】
しかし、このような方式は、連続的な二つのフレーム映像の間で動く領域だけでなく、停止領域にも黒色映像が適用されるため、画面の輝度が低下する問題点が生じる。
【発明の開示】
【発明が解決しようとする課題】
【００１１】
本発明の目的は、輝度が低下することを防止し、像不鮮明（Ｍｏｔｉｏｎ−Ｂｌｕｒ）を除去できるディスプレイ装置の制御方法を提供する。
【課題を解決するための手段】
【００１２】
前記目的は、本発明により、複数のフレーム映像を順次に表示するディスプレイ装置の制御方法において、前記複数のフレーム映像で各々の相互隣接したフレーム映像の間に、像不鮮明発生領域と像不鮮明非発生領域を検出する段階と；前記像不鮮明発生領域に前記隣接したフレーム映像の画素値より低い画素値を有する映像を挿入して、前記像不鮮明非発生領域に前記隣接したフレーム映像各々の画素値を有する映像、前記隣接したフレーム映像の間の平均画素値を有する映像の中の、いずれか一つを挿入して、前記各々の相互隣接したフレーム映像の間に、中間フレーム映像を備える段階を含むことを特徴とするディスプレイ装置の制御方法により達成される。
【００１３】
ここで、前記像不鮮明発生領域と前記像不鮮明非発生領域を検出する段階は、前記隣接したフレーム映像間に、動きの有無により、前記像不鮮明発生領域と前記像不鮮明非発生領域を検出する段階を含む。
【００１４】
前記動きの有無により前記像不鮮明発生領域と前記像不鮮明非発生領域を検出する段階は、前記隣接したフレーム映像の間の画素値の差を算出する段階と；所定領域内の前記画素値の差を累積する段階と；前記累積した画素値の差が所定の臨界値を超える場合は前記像不鮮明発生領域として、前記所定の臨界値以下の場合は前記像不鮮明非発生領域として区分する段階を含むことが望ましい。
【００１５】
そして、前記臨界値は、ノイズの量と前記映像のグラディエント（勾配）により、各々異なる値を有することによって、ノイズと映像のグラディエントによる領域区分の誤差を減らすことが望ましい。
【００１６】
前記臨界値は、前記ノイズが多いかつ前記映像のグラディエントが大きいほど大きくなって、前記ノイズが少ないかつ前記映像のグラディエントが小さいほど小さくなることが望ましい。
【００１７】
また、前記中間フレーム映像を形成する段階で前記像不鮮明発生領域に前記隣接したフレーム映像の画素値より低い画素値を有する映像を挿入時に、黒色映像を挿入する段階を含む。
【００１８】
前記黒色映像を挿入する段階は、ブラックマスク化する段階を含む。
【発明の効果】
【００１９】
本発明によると、輝度が減少することを防止し、像不鮮明を除去できるディスプレイ装置の制御方法が提供される。
【発明を実施するための最良の形態】
【００２０】
以下では添付図を参照して、本発明に対して詳細に説明する。
【００２１】
図３は、本発明によるディスプレイ装置の制御方法を示した図である。
【００２２】
一般的に動画像の場合に像不鮮明が発生し、停止画像の場合には像不鮮明が発生しない。そのため、像不鮮明発生の有無を判断するには、動き検出技法が適用される。動き検出のためにはまず、画素値差の所定領域別累積値ａを次のように求める。
【００２３】
【数１】
2006072359.tif 000003
画素値差の所定領域別に累積値ａは、まず式（１）のように隣接した二つのフレーム映像の画素値（ｆ（ｘ、ｎ−１）、ｆ（ｘ、ｎ））の差εを求めて（１００）、式（２）によって一定領域Ｂ内の画素値の差εを累積することにより得られる（１０１）。
【００２４】
ここで、画素値差の所定領域別累積値ａは、その領域が停止領域であるか、動き領域であるかの可否を判断できる基準となる。
【００２５】
入力フレーム映像は、次の式（３）により、動き領域或いは停止領域に区分される。
【００２６】
タイプ＝像不鮮明非発生領域（または、停止領域）（ａ≦Ｔである場合）
タイプ＝像不鮮明発生領域（または、動き領域）（ａ＞Ｔである場合）    （３）
ここで、式（３）のＴは臨界値を示す。
【００２７】
即ち、本ディスプレイ装置は、画素値差の所定領域別累積値ａを臨界値Ｔと比較する（１０２）。画素値差の所定領域別累積値ａが臨界値Ｔ以下である場合、その領域内の画素は動きがない停止領域内の画素と判断し（１０４）、画素値差の所定領域別累積値ａが臨界値Ｔを超える場合、その領域内の画素は動きがある領域内の画素と判断する（１０８）。
【００２８】
動きの有無によって、像不鮮明程度を表示することができるため、停止領域内の画素を像不鮮明が発生しない領域内の画素として、動き領域内の画素を像不鮮明が発生する領域内の画素として区分できる。
【００２９】
隣接したフレームの間には、各々像不鮮明発生領域（図４での動き領域）と、像不鮮明非発生領域（図４での停止領域）を有する中間フレームが挿入される（図４参照）。
【００３０】
中間フレームの像不鮮明非発生領域には、隣接した二つのフレーム映像の中からいずれか一つのフレーム映像の像不鮮明非発生領域に該当する画素値を該当画素に対応させる。
【００３１】
または、隣接した二つのフレーム映像の像不鮮明非発生領域に該当する画素値の平均値を、中間フレームの像不鮮明非発生領域の該当画素に対応させることもできる（１０６）。
【００３２】
一方、中間フレームの像不鮮明発生領域には、隣接した二つのフレーム映像の像不鮮明発生領域に該当する画素値より低い画素値を該当画素に対応させる（１１０）。  この場合、像不鮮明発生領域に黒色映像を挿入可能である。
【００３３】
一方、画素値差の所定領域別累積値ａは、ノイズの量、或いは映像のグラディエントにより影響を受ける場合もある。即ち、ノイズが多かったり映像のグラディエントが大きいフレーム映像の場合、隣接したフレームとの画素別の差は大きくなり、動き領域でないにもかかわらず、動き領域と誤って判断される場合が生じる。
【００３４】
従って、臨界値Ｔは、ノイズの量、或いは映像のグラディエントにより各々異なって設定される。例えば、ノイズが多い映像、或いはエッジ映像がたくさん含まれた映像のように映像のグラディエントが大きい映像であるほどＴ値が大きく設定されて、ノイズが少ない映像、或いはエッジ映像が少なく含まれた映像のように映像のグラディエントが小さい映像であるほどＴ値が小さく設定される。
【００３５】
この場合、ノイズの量と映像のグラディエントによる臨界値Ｔをテーブルで予め貯蔵して、入力フレーム映像が入る時ごとに、ノイズの量と映像のグラディエントを測定して、テーブルで該当する臨界値Ｔに設定するように構成することができる。
【００３６】
図５は、像不鮮明非発生領域での映像挿入例を示したグラフであり、図６は像不鮮明発生領域での映像挿入例を示したグラフである。図５に示されたように、中間フレーム映像の像不鮮明非発生領域では、元フレーム（ｏｒｉｇｉｎａｌ  ｆｒａｍｅ）の該当領域と同じ画素値を対応させられる。或いは図示されていないが、隣接した二つのフレーム映像の対応する画素の間の平均値、または、隣接した他の一つのフレームの該当領域と同じ画素値を対応させることもできる。これのよって、像不鮮明非発生領域での輝度低下問題を解決できる。
【００３７】
図６に図示されたように、中間フレーム映像の像不鮮明発生領域では黒色映像を挿入して、像不鮮明除去効果を得ることができる。ここで、黒色映像を挿入する方法でブラックマスク（Ｂｌａｃｋ  ｍａｓｋ）処理技法を適用できる。
【００３８】
また、像不鮮明発生領域に黒色映像の他に、隣接したフレーム映像の該当領域の画素値より所定レベルが低い画素値を有する映像を挿入することもできる。
【００３９】
このように、本発明は、動き検出方法により検出された像不鮮明発生領域に、隣接したフレーム映像の画素値より低い画素値を有する映像を挿入し、動き検出方法により検出された像不鮮明非発生領域に、隣接したフレーム映像各々の画素値を有する映像と、隣接したフレーム映像の間の平均画素値を有する映像の中、いずれか一つを挿入して、各々の相互隣接したフレーム映像の間ごとに中間フレーム映像を形成させることによって、輝度を低下させずに像不鮮明を除去することができる。
【００４０】
本発明は前記の実施例に限定されず、本発明の思想内で当業者による変形が可能なことは当然である。
【図面の簡単な説明】
【００４１】
【図１】従来のホールド型ディスプレイ装置のディスプレイ方式を示したグラフである。
【図２】従来のホールド型ディスプレイ装置にインパルス型駆動方式を適用した例を示したグラフである。
【図３】本発明によるディスプレイ装置の制御フローチャートである。
【図４】本発明の動き領域と停止領域を区分して示した図である。
【図５】本発明の像不鮮明非発生領域（停止領域）でのディスプレイ方式を示したグラフである。
【図６】本発明の像不鮮明発生領域（動き領域）でのディスプレイ方式を示したグラフである。
【図１】
2006072359.tif 000004
【図２】
2006072359.tif 000005
【図３】
2006072359.tif 000006
【図４】
2006072359.tif 000007
【図５】
2006072359.tif 000008
【図６】
2006072359.tif 000009